(57)【要約】【課題】従来の生体測定装置では、測定結果を数値で表示するものが一般的であった。また、表示結果をグラフ表示するもの、測定項目毎の部位別表示や、部位別の複数項目の表示もできてきた。しかし生体の部位別で複数の測定項目を表示しようとすると、数値の表示が多くなり見にくかったり、グラフ表示する場合に目的のグラフを選択するときに操作が難しくなる恐れがあった。【解決手段】生体の各部位に接触させる複数の電極と、この電極に電流を流す電流供給手段と、この電極の電圧を測定する電圧測定手段と、複数電極の内、どの電極に電流を流し、どの電極の電圧を測定するかを切替える切替手段と、電流供給手段と電圧測定手段と切替手段とを制御する制御手段と、制御手段に接続され、測定結果を表示する表示手段を備えた生体測定装置において、表示項目を選択する手段と、生体の各部位を選択する手段とを備え、これら２つの選択手段により選択された測定結果を表示手段に表示する。【選択図】    図１
2005237473.tif 000002
【特許請求の範囲】
【請求項１】
生体の各部位に接触させる複数の電極と、この電極に電流を流す電流供給手段と、この電極の電圧を測定する電圧測定手段と、複数電極の内、どの電極に電流を流し、どの電極の電圧を測定するかを切替える切替手段と、電流供給手段と電圧測定手段と切替手段とを制御する制御手段と、制御手段に接続され、測定結果を表示する表示手段を備えた生体測定装置において、表示項目を選択する手段と、生体の各部位を選択する手段とを備え、これら２つの選択手段により選択された測定結果を表示手段に表示することを特徴とする生体測定装置。
【請求項２】
請求項１において、前記２つの選択手段で選択された測定結果を表示手段にグラフ表示するための選択手段をさらに備えたことを特徴とする生体測定装置。
【請求項３】
請求項１または請求項２において、前記測定結果が体重、体脂肪率、筋肉量、骨量、体水分量、基礎代謝量、内臓脂肪面積のうち少なくとも１つであることを特徴とする生体測定装置。
【発明の詳細な説明】
【技術分野】
【０００１】
本発明は、生体の部位の状態を測定する生体測定装置に関する。
【背景技術】
【０００２】
従来の生体測定装置では、測定結果を表示手段に数値で表示したもの（例えば、特許文献１参照。）や測定結果をグラフで表示したもの（例えば、特許文献参照２。）がある。また、生体の部位毎に測定結果を数値で表示するとともに、部位別に複数の測定結果を数値で表示したもの（特許文献３参照。）もある。
【特許文献１】特開２００１−１５７６７１号公報
【特許文献２】特開２００１−１９０５１４号公報
【特許文献３】特開２００１−１７８６９３号公報
【発明の開示】
【発明が解決しようとする課題】
【０００３】
従来の生体測定装置では、測定結果を数値で表示するものが表示装置のコストを低減するために一般的であったが、表示の項目が多くなると見ただけでは測定結果の判断ができなくなってきた。そのため、表示結果をグラフ表示するものが発売されてきたが、表示項目は少なかった。さらに、生体の部位別の測定をする装置が発売され、その表示も測定項目後との部位別表示や、部位別の複数項目の表示もできてきたが、測定結果の数値表示に過ぎなかった。
【０００４】
このため、生体の部位別で複数の測定項目を表示しようとすると、数値の表示が多くなり見にくくなったり、グラフ表示する場合に目的のグラフを選択するときに操作が難しくなる恐れがあった。
【０００５】
本発明は、上述の従来技術の問題点を解決し、被験者が操作しやすく、測定結果が簡単に見ることができる生体測定装置を提供するものである。
【課題を解決するための手段】
【０００６】
本発明によれば、生体の各部位に接触させる複数の電極と、この電極に電流を流す電流供給手段と、この電極の電圧を測定する電圧測定手段と、複数電極の内、どの電極に電流を流し、どの電極の電圧を測定するかを切替える切替手段と、電流供給手段と電圧測定手段と切替手段とを制御する制御手段と、制御手段に接続され、測定結果を表示する表示手段を備えた生体測定装置において、表示項目を選択する手段と、生体の各部位を選択する手段とを備え、これら２つの選択手段により選択された測定結果を表示手段に表示することを特徴とする生体測定装置が提供される。
【０００７】
また、本発明によれば、前記２つの選択手段で選択された測定結果を表示手段にグラフ表示するための選択手段をさらに備えたことを特徴とする生体測定装置が提供される。
【０００８】
さらに、前記測定結果が体重、体脂肪率、筋肉量、骨量、体水分量、基礎代謝量、内臓脂肪面積のうち少なくとも１つであることを特徴とする生体測定装置が提供される。
【発明の効果】
【０００９】
本発明は、生体の各部位に接触させる複数の電極と、この電極に電流を流す電流供給手段と、この電極の電圧を測定する電圧測定手段と、複数電極の内、どの電極に電流を流し、どの電極の電圧を測定するかを切替える切替手段と、電流供給手段と電圧測定手段と切替手段とを制御する制御手段と、制御手段に接続され、測定結果を表示する表示手段を備えた生体測定装置において、表示項目を選択する手段と、生体の各部位を選択する手段とを備え、これら２つの選択手段により選択された測定結果を表示手段に表示するものであるので、被験者は表示したい所望の項目と所望の部位を選択するだけの簡単な操作で所望の表示内容を表示できる。
【００１０】
また、前記２つの選択手段で選択された測定結果を表示手段にグラフ表示するための選択手段をさらに備えたことにより、所望の部位の所望の表示項目内容を簡単にグラフで見ることができる。
【発明を実施するための最良の形態】
【００１１】
本発明は、生体の各部位に接触させる複数の電極と、この電極に電流を流す電流供給手段と、この電極の電圧を測定する電圧測定手段と、複数電極の内、どの電極に電流を流し、どの電極の電圧を測定するかを切替える切替手段と、電流供給手段と電圧測定手段と切替手段とを制御する制御手段と、制御手段に接続され、測定結果を表示する表示手段を備えた生体測定装置において、表示項目を選択する手段と、生体の各部位を選択する手段とを備え、これら２つの選択手段により選択された測定結果を表示手段に表示する。
【００１２】
また、前記２つの選択手段で選択された測定結果を表示手段にグラフ表示するための選択手段をさらに備える。
【００１３】
さらに、前記測定結果が体重、体脂肪率、筋肉量、骨量、体水分量、基礎代謝量、内臓脂肪面積のうち少なくとも１つである。
【実施例１】
【００１４】
本発明の実施例を説明するに、図１は本発明を適用した生体測定装置、具体的には両手、両足の８ヶ所に接触する電極を備え、生体電気インピーダンス法を用いた体組成計１の斜視図である。この体組成計1は、従来公知の両足間で生体電気インピーダンスを測定する脂肪計と同様に内部に体重を測定する重量検出手段２を備えるとともに、上面の載台部３に右足用の電極４ａ、４ｂと、左足用の電極５ａ、５ｂと、各種データを入力したり測定結果の表示を切り替えるための操作部6と、測定結果を表示する表示手段である表示部７とを備えている。また、載台部３の手前側には、被験者のデータを呼び出すため4つの個人キー８ａ、８ｂ、８ｃ、８ｄ及び体重のみの測定と電源を強制的にオフするための体重／ＯＦＦキー9を備えている。
【００１５】
さらにこの体組成計１には、内部の電気基板に接続するためのケーブル１０を介して右手用電極部１１が接続されており、この右手用電極部１１には、その外周面に２つの電極１１ａ、１１ｂが設けられ、同様にケーブル１２を介して左手用電極部１３が接続され、この左手用電極部１３には２つの電極１３ａ、１３ｂが設けられている。この右手用電極部１１と左手用電極部13とは、載台部３の右左の係合部３ａ、３ｂに嵌め込むことにより載台部３と一体的になる。この体組成計１の構成は従来公知の８電極方式の体脂肪計の構成と同様であるので詳細な構成の説明は省略する。
【００１６】
図２は、図１の操作部６および表示部７の詳細図である。図２の上部には数値やグラフを表示するためのドットマトリックスで構成されるＬＣＤ（液晶表示）からなる表示部７が設けられ、下部には操作部６が設けられる。この操作部６は、各種データの入力を行うためのＳＥＴキー１４と、データの数値を減少させるためのダウンキー１５と、データの数値を増加させるためのアップキー１６とからなる操作キー群１７が設けられる。この操作部６には、表示を選択するための表示選択キー群１８が設けられ、この表示選択キー群１８は測定した体組成の表示項目を選択するための表示項目選択手段である表示項目キー群１９と、測定した身体の部位の表示を選択する部位選択手段である部位別キー群２０と、表示した数値データをグラフとして表示するためのグラフ選択手段であるグラフキー２１とからなる。
【００１７】
表示項目キー群１９は、表示する体組成の項目を選択するためのものであり、体重値を表示するための体重キー２２、体脂肪率を表示するための体脂肪キー２３、筋肉量を表示するための筋肉キー２４、骨量を表示するための骨量キー２５、体水分量を表示するための水分キー２６、基礎代謝量を表示するための基礎代謝キー２７、内臓脂肪面積をレベルとして表示するための内臓脂肪キー２８とからなる。
【００１８】
また、部位別キー群２０は、表示する部位を選択するためのものであり、全身キー２９、右腕キー３０、左腕キー３１、右足キー３２、左足キー３３、体幹キー３４からなる。
【００１９】
図３は、図１の体組成計１の電気ブロック図であり、左右の手足に接する８つの電極４ａ、４ｂ、５ａ、５ｂ、１１ａ、１１ｂ、１３ａ、１３ｂが電極切替手段３５に接続されている。この電極切替手段３５は、電流供給手段３６と、電圧測定手段３７とを介して制御手段３８に接続されている。この制御手段３８は、体組成計１の全体を制御するもので、内部にマイクロコンピュータ等を備えており、外部に各種データ等を記憶する記憶手段３９を備え、電源手段４０に接続されている。また、図１の表示部７は、入出力制御手段４１を介して制御手段３８に接続されている。さらに操作部６、個人キー８ａ〜８ｄ、体重／ＯＦＦキー９も入出力制御手段４１を介して制御手段３８に接続されている。さらに体組成計１の内部に設けられた重量検出手段２も制御手段３８に接続されている。
【００２０】
次に図１乃至図３の構成図、図4乃至図１４のフローチャート及び図１５乃至図２７の表示画面を用いて体組成計１の操作及び動作を説明する。
【００２１】
まず、最初に体組成計１の裏面にあるふたを開け、乾電池を図３の電源手段に装着すると、図４のフローチャートに従って制御手段３８がカレンダー設定の動作をする。ステップＳ１で制御手段３８のマイクロコンピュータのメモリやカウンタ等をリセットし、カレンダーの初期値として２００４年１月１日０時００分を設定する。そして、ステップＳ２でＳＥＴキー１４、ダウンキー１５、アップキー１６からなる操作キー群１７のいずれかをオンすると、ステップＳ３で表示部7に西暦の文字を常時表示するとともに、西暦の初期値である２００４年を点滅表示する。この初期値が現在の西暦であるときには、ステップＳ４でＳＥＴキー１４をオンすることでこの西暦を記憶手段３９に記憶する。
【００２２】
しかし、初期値の西暦を変更したいときには、ＳＥＴキー１４をオンせずにステップＳ５でアップキー１６またはダウンキー１５をオンすると、ステップＳ６で初期値の西暦に１年アップまたはダウンさせ、ステップＳ３でその値を表示する。このアップ・ダウンの操作をすることでそのときの西暦を表示させる。ただし、装置に設定された西暦の最小値または最大値に達し、さらにダウンまたはアップさせると、最小値から最大値に、または最大値から最小値にループして表示の西暦を変化させる。このループして表示を変化させる処理は、西暦表示だけでなくこれ以降に説明する月、時刻、身長、年令等、図４、図５におけるアップ・ダウンの操作において共通であるので、説明を省略する。
【００２３】
ステップＳ７で現在の西暦が記憶されると、ステップＳ８で表示部７に月の文字を常時表示するとともに、月の初期値である１月を点滅表示する。現在の月の設定は、ステップＳ４からステップＳ７において設定した現在西暦の処理と同様にして、ステップＳ９からステップＳ１２において処理される。以下、ステップＳ１３からステップＳ１７で現在の日を、ステップＳ１８からステップＳ２２で現在の時間を、ステップＳ２３からステップＳ２７で現在の分をそれぞれ設定する。
【００２４】
そして、西暦、月、日、時間、分の設定が終了すると、ステップＳ２８で３秒程度のタイマーをセットして、ステップＳ２９で現在の年月日時刻を表示部７に図１５で示すように表示する。そして、ステップＳ３０において、ステップＳ２８でセットしたタイマーが終了したら、電源をオフする。但し、制御手段３８のマイクロコンピュータの一部は電源オフでも電源手段４０の電池を外さない限り継続して動作しており、現在時刻も制御手段３８で継続して更新されるとともに、操作キー群１７、個人キー８ａ〜８ｂや体重／ＯＦＦキー９等をオンしたときに制御手段３８で体組成計１を起動するように構成されている。
【００２５】
次に、体組成計１に被験者の個人データを登録する方法について、図５のフローチャートを中心に説明する。まずＳＥＴキー１４をオンすると、ステップＳ５０で表示部７にダウンキー１５とアップキー１６の▼▲マークを点滅表示する。このときに、ダウンまたはアップのキー１５，１６をオンする（ステップＳ５１）と、ステップＳ５２で個人キー８ａ〜８ｂに対応する個人番号１〜４のうち１を表示する。このときにダウンキー１５をオンすると４が、アップキー１６をオンすると２が表示される。この表示の数値で登録するときは、ステップＳ５３でＳＥＴキー１４をオンすると、ステップＳ５６に進み、この個人番号が記憶手段３９に記憶される。
【００２６】
表示された個人キー番号を変更するときには、ステップＳ５４でダウンキー１５またはアップキー１６をオンすることで、ステップＳ５５で個人番号を１減算または１加算し、ステップＳ５２でその数値を表示部７に表示する。以下この操作を繰り返すことで所望の番号を選択することができる。
【００２７】
ステップＳ５６で個人番号が登録されると、ステップＳ５７で被験者の誕生年の西暦を設定するために、初期値として図４で設定した現在の西暦から３０年を引いた西暦が設定され、ステップＳ５８でその西暦が表示される。この誕生年の西暦設定は、図４のステップＳ３からステップＳ７での設定と同様の処理であるので、ステップＳ５８からステップＳ６２までの説明を省略する。
【００２８】
ステップＳ６２で誕生年の設定が終了すると、引き続き誕生月と、誕生日の設定をそれぞれステップＳ６３からステップＳ６７、ステップＳ６８からステップＳ７２で行うが、この操作及び処理は図４のステップＳ８からステップＳ１２、ステップＳ１３からステップＳ１７の操作処理と同様であるので説明を省略する。
【００２９】
そして、誕生年月日の設定が終了すると、ステップＳ７３で被験者の男女設定をするために表示部７に男女の文字表示を点滅表示する。そしてダウンまたはアップのキー１５，１６をオンする（ステップＳ７４）と、ステップＳ７５で男または女の文字を表示する。このときにダウンキー１５をオンすると男が、アップキー１６をオンすると女が表示される。この表示の性別で登録するときは、ダウンキー１５及びアップキー１６をオンせず（ステップＳ７６）、ステップＳ７８でＳＥＴキー１４をオンすると、ステップＳ７９に進み、この性別が記憶手段３９に記憶される。
【００３０】
表示された性別を変更するときには、ステップＳ７６でダウンキー１５またはアップキー１６をオンすることで、ステップＳ７７で男または女の文字を切り替えて表示する。ＳＥＴキー１４をオンせずにステップＳ７６とステップＳ７７の操作を繰り返すことで性別を選択表示することができる。
【００３１】
性別の設定が終了すると、次にステップＳ８０からステップＳ８６で標準体型かアスリート体型かの体型の設定に進むが、この処理もステップＳ７３からステップＳ７９で男または女の性別設定処理を標準またはアスリートに置き換えたものと同様であるので説明を省略する。
【００３２】
さらにステップＳ８７で被験者の身長の設定に進むが、初期値として１７０ｃｍを設定し、表示部７に表示する。この表示した身長でよい場合は、ステップＳ８８でＳＥＴキー１４をオンすることで、ステップＳ９１に進み記憶手段３９にその数値を記憶する。
【００３３】
記憶する前に表示した数値を変更するときには、ダウンキー１５またはアップキー１６をオンすると（ステップＳ８９）、ステップＳ９０で表示の数値をそれぞれ１ｃｍずつ減少または上昇させ、ステップＳ８７で表示部７に表示する。
【００３４】
身長設定が終了すると、ステップＳ９２で３秒程度のタイマーをセットし、ステップＳ９３で図１６に示すように個人番号、性別、身長、図４での現在年月日と生年月日に基づき制御手段３８で演算した現在年齢、体型を表示する。この設定表示はステップＳ９４でタイマーが終了するまで表示され、タイマーが終了すると、電源をオフする。
【００３５】
図４及び図５のカレンダー設定及び個人データ登録の処理で体組成計１の測定前の設定が完了する。
【００３６】
次に図６のフローチャートを用いて、測定について説明する。最初に体組成計１の４つの個人キー８ａ〜８ｄのいずれかの１つをつま先でけることで、制御回路３８が稼動を始め、図６のフローチャートが進行する。ステップＳ１００において、個人キー８ａ〜８ｄのどのキーがけられたかを識別し、そのキーに該当する個人番号の個人データを記憶手段３９より呼び出して、例えば図１６で示すように表示部７に表示する(ステップＳ１０１)。このときけったキーに対応する個人データが記憶手段３９に記憶されていない場合（図５における個人データの登録処理がなされていない場合）、個人データの登録がなされていないことを表示部７に表示し、３秒程度の後に電源をオフする。
【００３７】
ステップＳ１０１で個人データが表示部７に一定時間表示されると、ステップＳ１０２で表示部７に図２に示すように「０．０ｋｇ」を表示するとともに、ステップＳ１０３において０．０ｋｇの表示の上方に「手用電極を持ってください」という表示を行い、数秒後に体重測定を行うために「お乗り下さい」の文字を表示部７に表示する（ステップＳ１０４）。
【００３８】
そして被験者が載台３に乗ると、重量検出手段２が被験者の重さを検知するのでステップＳ１０５で表示部７に「測定中」の表示とともに測定体重値を表示する。この測定体重値は被験者が微妙に動いても変化するのでステップＳ１０６で測定体重値が所定の範囲以内、例えば０．０５ｋｇ程度に安定したことを判断し、ステップＳ１０７で測定体重値を記憶手段３９に記憶する。
【００３９】
体重測定が終了すると、ステップＳ１０８で図１７に示すように表示部７に「右腕測定中」の表示をするとともに測定の進行状況を示す「００００」の表示も行う。この「００００」表示は測定の進行状況にあわせて、左側の０から順次表示が消え、全ての０が消えると測定が完了してことを示す。この右腕の測定は、制御手段３８が電極切替手段３５を制御して右手用の電極１１ａと右足用の電極４ａと間に電流供給手段３６から所定の周波数の定電流が供給され、右手用の電極１１ｂと左手用の電極１３ｂ間の電圧を電圧測定手段３７で測定する。この定電流と測定した電圧から制御手段３８は右手の生体電気インピーダンスを演算し、その値を記憶手段３９に記憶する（ステップＳ１０９）。この右手の測定が終了すると、ステップＳ１１０で図１７に示したと同様に左手の測定中表示等を表示するとともに、右手測定場合と同様にして左手電極１３ａと左足電極５ａ間に電流供給手段３６により電流を流し、左手電極１３ｂと右手電極１１ｂ間の電圧を電圧測定手段３７で測定し、制御手段３８で左手の生体電気インピーダンスを演算して記憶手段３９に記憶する（ステップＳ１１１）。
【００４０】
この左手測定の後、右足測定、左足測定、全身測定もステップＳ１１２からステップＳ１１７で測定するが、これらの電極切替及び生体電気インピーダンス測定は、既に業務用の体組成計で公知であるのでその説明を省略する。
【００４１】
全身を含めたこれら部位別のインピーダンス測定が終了すると、ステップＳ１１８では、図５で入力した被験者の身体の登録データ、測定した体重、測定した部位別の生体電気インピーダンス等から、全身及び部位別の体重、体脂肪率、筋肉量、骨量、体水分量を求めるとともに、全身の基礎代謝量と体幹部の内臓脂肪面積を演算する。この演算方法については、既に販売されている体組成計が公知であるのでその説明を省略する。そして、演算した結果は、個人番号毎に測定年月日、時刻等とともに記憶手段３９に記憶する。
【００４２】
ステップＳ１１９ではこれまでに測定のデータの中から全身の体脂肪率とその判定結果と、全身の体重を表示部７に一定時間表示し、その後に電源をオフする。この表示については、図７に示すサブルーチンのフローチヤートで詳細に説明する。
【００４３】
図７のサブルーチンでは、ステップＳ１２０で表示の繰り返しを判定する表示カウンタをクリアし、ステップＳ１２１でステップＳ１２２での表示時間を設定する３．５秒タイマーをセットする。ステップＳ１２２では、図１８で示すように、表示部位である「全身」と脂肪率を示す「脂肪」との文字と、図６のステップＳ１１８で演算した全身の体脂肪率とその値の判定結果、例えば「軽肥満」の状態であることを示す文字を表示部７に表示する。そしてステップＳ１２３でこの表示が３．５秒継続したか否かのタイマー終了を判定し、終了していれば、ステップＳ１２４に進み再び３．５秒のタイマーをセットする。そしてステップＳ１２５で図１９に示すように全身の体重およびＢＭＩを表示部７に表示し、ステップＳ１２６でこの表示が３．５秒継続したか否かのタイマー終了を判定し、終了していれば、ステップＳ１２７に進む。このステップＳ１２７では表示カウンタに「１」を加算し、ステップＳ１２８でこの表示カウンタが上記の２つの表示を何回繰り返したかを判断し（この実施例では５回である）、所定の回数に達していなければステップＳ１２１に戻って表示を繰り返すが、所定回数に達していれば、図６のステップＳ１１９に戻り電源をオフする。
【００４４】
上記表示は実施例の体組成計１の標準的な表示であるが、この体組成計１は、図７の表示中に図２に示す表示選択キー群１８のいずれかのキーをオンすると、オンしたキーの内容に合わせて記憶手段３９よりデータを呼び出して表示部７に表示するように設けられている。この表示選択キー群１８は、体脂肪率や骨量等の体組成としての表示項目を選択する表示項目キー群１９と、全身や右腕等の部位を選択する部位別キー群２０と、表示内容を数値、日単位のグラフ、週単位のグラフ、月単位のグラフとして表示選択するグラフキー２１との３つのキー群からなる。
【００４５】
そしてこれら３つのキー群にはそれぞれのキー群毎に制御用のカウンタが設けられ、オンしたキー毎、またはオンした回数毎にそのカウンタに該当する数値が割り当てられる。そして表示部７に表示する内容はこれら３つのカウンタの数値により制御される。
【００４６】
この制御は、図８で示されるフローチャートにより行われ、まず表示選択キー群１８のいずれかのキーをオンすると、制御手段３８のマイクロコンピュータに対して割り込み処理が開始され、図７の表示処理のサブルーチンから図８のルーチンに処理が移行する。
【００４７】
そしてステップＳ１５０でオンされたキーが表示項目キー群１９のいずれかであると、ステップＳ１５１で表示項目キー群１９のどのキーであるかによって項目カウンタに割り当てられた数値がセットされる。例えば体重キー２２がオンされると、項目カウンタには「０」がセットされ、体脂肪キー２３がオンされると、項目カウンタには「１」がセットされる。
【００４８】
また、オンされたキーが部位別キー群２０のいずれかであると、ステップＳ１５２で部位別キー群２０のどのキーであるかによって部位カウンタに割り当てられた数値がセットされる。例えば全身キー２９がオンされると、部位カウンタには「０」がセットされ、右腕キー３０がオンされると、部位カウンタには「１」がセットされる。
【００４９】
さらに、オンされたキーがグラフキー２１であると、ステップＳ１５４でＹｅｓと判断され、ステップＳ１５５でグラフカウンタに「１」を加算してステップＳ１５６でグラフカウンタが「４」であるか否かを判定する。グラフカウンタが「４」の場合月単位のグラフが表示されていたときにグラフキー２１がオンされたとみなし、数値表示に戻すため、グラフカウンタを「０」に戻す（ステップＳ１５７）。ステップＳ１５６でグラフカウンタが「４」でないときにはステップＳ１５８に進み、グラフカウンタが「０」であるか否かの判定を行う。
【００５０】
この判定でグラフカウンタが「０」と判定されると、ステップＳ１５９の表示項目別・部位別数値表示処理に進む。この表示処理は、図９乃至図１１で示すサブルーチンにより処理される。そして、このサブルーチンの処理中でも再び表示選択キー群１８のいずれかのキーがオンされると、マイクロコンピュータに割り込みがかかり、図８の割り込み処理のフローチャートに戻り処理が継続される。
【００５１】
ステップＳ１５８でＮｏの場合、ステップＳ１６０に進みグラフカウンタが「１」であるか否かの判定を行い、「１」の場合はステップＳ１６１の表示項目別・部位別日グラフ表示処理に進む。この表示処理は、図１２乃至図１４で示すサブルーチンにより処理される。そして、このサブルーチンの処理中でも再び表示選択キー群１８のいずれかのキーがオンされると、マイクロコンピュータに割り込みがかかり、図８の割り込み処理のフローチャートに戻り処理が継続される。
【００５２】
ステップＳ１６０でＮｏの場合、ステップＳ１６２に進みグラフカウンタが「２」であるか否かの判定を行い、「２」の場合はステップＳ１６３の表示項目別・部位別週グラフ表示処理に進む。ステップＳ１６２でＮｏの場合、グラフカウンタが「３」となるため、ステップＳ１６４に進み、表示項目別・部位別月グラフ表示処理に進む。このステップＳ１６３とステップＳ１６４の表示処理は、ステップＳ１６１のグラフ表示の横軸の日単位を週単位または月単位に変更しただけのものであるので詳細なサブルーチン及びその説明を省略する。これらのサブルーチンの処理中でも再び表示選択キー群１８のいずれかのキーがオンされると、既に説明したと同様にマイクロコンピュータに割り込みがかかり、図８の割り込み処理のフローチャートに戻り処理が継続される。
【００５３】
次に図９乃至図１１を用いて、図８のステップＳ１５９の表示項目別・部位別数値表示処理のルーチンを説明する。
【００５４】
ステップＳ２００では図８でセットされた項目カウンタが「０」であるか否かを判定し、「０」であれば体重の表示をするということでステップＳ２０１に進む。ステップＳ２００で「０」でなければ、Ｎｏと判定され、図１０のステップＳ３００へ進む。
【００５５】
ステップＳ２０１では、図８でセットされた部位カウンタが「０」であるか否かを判定し、部位が全身、すなわち「０」であればステップＳ２０２に進み、電源オフまでの表示時間を設定する２０秒タイマーをセットするとともに、ステップＳ２０３において、ステップＳ２０４で全身の体重値を表示する２秒タイマーをセットする。ステップＳ２０４では、図６のステップＳ１０５乃至ステップＳ１０７で測定され記憶手段３９に記憶されている全身の体重値と測定日とを図２０に示すように表示部７に表示する。
【００５６】
そしてステップＳ２０５で２秒タイマーが終了したかを判定し、終了していなければステップＳ２０４に戻り全身の体重値の表示を継続し、タイマーが終了すると、ステップＳ２０６に進み、再び２秒タイマーをセットする。ステップＳ２０７では、図２１で示すように測定日と、全身の体重を示す文字と全身の体重値と、体格指数であるＢＭＩの数値、ＢＭＩに基づく肥満度判定、例えば軽肥満とを表示する。そしてステップＳ２０８でこの表示の継続を判定するタイマーの終了を判定し、ステップＳ２０９に進む。このステップＳ２０９では、ステップＳ２０２でセットしたタイマーの終了を判定するものであり、終了していないとステップＳ２０３に戻り、前述の２つの表示を繰り返す。この２つの表示を５回繰り返すと２０秒に達するので、ステップＳ２０９ではタイマーが終了したと判定され、電源がオフされる。
【００５７】
このステップＳ２０２からステップＳ２０９での表示においては、測定した最新の測定値と測定日とが表示されるが、この表示中に図２のダウンキー１５をオンすると、前日の測定日と測定した測定値とを表示し、さらにダウンキー１５をオンすると前々日の日にちと測定した測定値を表示し、さらにアップキー１６を２回オンすると最新の日付と測定値との表示に戻る。このようにして、表示中にダウンキー１５またはアップキー１６を操作すると、表示する測定値の測定日を変更することができるが、変更した測定日に測定をしていない場合には測定値がないので、表示部７には「データなし」という表示が出る。
【００５８】
また、ステップＳ２０１で部位カウンタが「０」でなく「１」の場合には、ステップＳ２１０でＹｅｓと判定され、ステップＳ２１１で２０秒タイマーをセットする。ステップＳ２１２では、図６のステップＳ１１８で被験者の身長、体重、部位別の生体インピーダンス等のデータから演算し、記憶手段３９に記憶されている右腕の体重値を呼び出して、その重量を表示する。そしてステップＳ２１３でタイマーの終了を待って電源をオフする。この右腕体重値は、現在のところやせ、標準、肥満等の判定基準がないので、測定に基づく値のみの表示としているが、判定基準ができたときにはステップＳ２０３からステップＳ２０８における全身体重値表示のように値と判定との２つの表示を交互に行うことができる。
【００５９】
なお、この右腕の体重値の表示中においても、図２のダウンキー１５をオンすると、前日に測定した測定値を表示し、さらにアップキー１６をオンすると最新の測定値の表示に戻る。このようにして、表示中にダウンキー１５またはアップキー１６を操作すると、表示する測定値の測定日を変更することができるが、変更した測定日に測定をしていない場合には測定値がないので、表示部７には「データなし」という表示が出る。
【００６０】
さらにステップＳ２１０でＮｏの場合、部位カウンタは２乃至５になるが、図９では部位カウンタが「５」のときのみ部位カウンタの判定がないが、その他の処理は同様であるので図９での記載もステップの番号として部位カウンタの数字をステップ番号の十の位に割り当てて記載するとともに、部位カウンタが「２」と「３」の場合のフローチャートを省略するとともに、これらの説明も省略する。
【００６１】
図９のステップＳ２００でＮｏと判定されると、図１０のステップＳ３００に処理が移る。このステップＳ３００では、図８にてセットされた項目カウンタが「１」であるか否かを判定し、「１」であれば体脂肪率の表示をするということでステップＳ３０１に進む。ステップＳ３００で「１」でなければ、Ｎｏと判定され、図１１のステップＳ４００へ進む。
【００６２】
ステップＳ３０１では、図８でセットされた部位カウンタが「０」であるか否かを判定し、部位が全身、すなわち「０」であればステップＳ３０２に進み、電源オフまでの表示時間を設定する２０秒タイマーをセットするとともに、ステップＳ３０３において、ステップＳ３０４で全身の脂肪率を表示する２秒タイマーをセットする。ステップＳ３０４では、図６のステップＳ１０５乃至ステップＳ１０７で測定され記憶手段３９に記憶されている全身の体脂肪率を図２２に示すように表示部７に表示する。
【００６３】
そしてステップＳ３０５で２秒タイマーが終了したかを判定し、終了していなければステップＳ３０４に戻り全身の体脂肪率の表示を継続し、タイマーが終了すると、ステップＳ３０６に進み、再び２秒タイマーをセットする。ステップＳ３０７では、図２３で示すように全身の脂肪率を示す文字と全身の脂肪率と、この脂肪率による肥満判定、例えば軽肥満という判定を表示する。そしてステップＳ３０８でこの表示の継続を判定するタイマーの終了を判定し、ステップＳ３０９に進む。このステップＳ３０９では、ステップＳ３０２でセットしたタイマーの終了を判定するものであり、終了していないとステップＳ３０３に戻り、前述の２つの表示を繰り返す。この２つの表示を５回繰り返すと２０秒に達するので、ステップＳ３０９ではタイマーが終了したと判定され、電源がオフされる。
【００６４】
このステップＳ３０２からステップＳ３０９での表示においては、測定した最新の測定値が表示されるが、この表示中に図２のダウンキー１５をオンすると、前日に測定した測定値を表示し、さらにアップキー１６をオンすると最新の測定値の表示に戻る。このようにして、表示中にダウンキー１５またはアップキー１６を操作すると、表示する測定値の測定日を変更することができるが、変更した測定日に測定をしていない場合には測定値がないので、表示部７には「データなし」という表示が出る。
【００６５】
また、ステップＳ３０１で部位カウンタが「０」でなく「１」の場合には、ステップＳ３１０でＹｅｓと判定され、ステップＳ３１１で２０秒タイマーをセットする。ステップＳ３１２では、ステップＳ３１３で表示する右腕の体脂肪率の表示を表示する２秒タイマーをセットし、ステップＳ３１３において、図６のステップＳ１１９で演算し、記憶手段３９に記憶されている右腕の体脂肪率を呼び出して、その値を表示する。そしてステップＳ３１４でタイマーの終了を待ってステップＳ３１５に進み、ステップＳ３１６の表示をする２秒タイマーをセットする。ステップＳ３１６では記憶手段３９に記憶されている右腕の体脂肪率とその判定とを表示し、ステップＳ３１７でタイマーの終了を待ってステップＳ３１８に進む。このステップＳ３１８では、ステップＳ３１１でセットしたタイマーの終了を判定するものであり、終了していないとステップＳ３１２に戻り、前述の２つの表示を繰り返す。この２つの表示を５回繰り返すと２０秒に達するので、ステップＳ３１８ではタイマーが終了したと判定され、電源がオフされる。
【００６６】
このステップＳ３１１からステップＳ３１８での表示においては、測定した最新の測定値が表示されるが、この表示中に図２のダウンキー１５をオンすると、前日に測定した測定値を表示し、さらにアップキー１６をオンすると最新の測定値の表示に戻る。このようにして、表示中にダウンキー１５またはアップキー１６を操作すると、表示する測定値の測定日を変更することができるが、変更した測定日に測定をしていない場合には測定値がないので、表示部７には「データなし」という表示が出る。
【００６７】
さらにステップＳ３１０でＮｏの場合、部位カウンタは２乃至５になるが、その処理は表示項目が変わるだけでその他の点は同様であるので図１０での記載もステップの番号として部位カウンタの数字をステップ番号の十の位に割り当てて記載するとともに、一部のフローチャートやこれらの説明も省略する。
【００６８】
さらに、図１０のステップＳ３００で項目カウンタが「１」でないときには、Ｎｏと判定され、図１１のステップＳ４００に進む。このステップＳ４００で項目カウンタが「２」の場合には、図８で筋肉量の表示が選択されているのでステップＳ４０１以降の処理に進むが、この処理は図１０で示した体脂肪率表示処理の場合と表示項目内容が体脂肪率に変わり筋肉量に変わっただけなので、フローチャート及びその説明を省略する。
【００６９】
さらに、ステップＳ５００で項目カウンタが「３」と判定されると、ステップＳ５０１に進むが、この場合も表示項目が骨量であり、ステップＳ６００で項目カウンタが「４」と判定されると、ステップＳ６０１に進むが、この場合も表示項目が体水分量であり、ステップＳ７００で項目カウンタが「５」と判定されると、ステップＳ７０１に進むが、この場合も表示項目が基礎代謝量であり、ステップＳ７００で項目カウンタが「６」と判定されると、ステップＳ８００に進むが、この場合も表示項目が内臓脂肪面積であり、その表示処理は図１０の場合と表示項目がそれぞれ変わるだけなのでフローチャート及びその説明を省略する。
【００７０】
ただし、ステップＳ７００番台とステップＳ８００番台は、基礎代謝量と内臓脂肪面積の表示処理であるが、基礎代謝量については、部位別の基礎代謝についての測定方法及び判定についてまだ完成していないので全身の基礎代謝量及びその判定のみの処理になっており、内臓脂肪面積については体幹部位のみが該当するので部位別表示の処理がない。
【００７１】
この図９乃至図１１までの表示項目別・部位別数値表示処理においては、一つの表示をしているときに所望の表示項目や所望の部位を表示させるときは、図２の表示項目キー群１９や部位別キー群２０の表示させるキーをオンすると、図８の表示キー割り込み処理がなされ、その処理で図９乃至図１１の処理がなされて所望の表示が行われる。すなわち被験者は操作手順に束縛されることなく、所望のキーをオンすれば、所望の表示が簡単にできる。
【００７２】
次に、図８のステップＳ１６１の表示項目別・部位別日グラフ表示処理を図１２乃至図１４のフローチャートにて説明する。この処理は、図６の測定のフローチャートで示す測定した日々のデータが記憶手段３９に測定日とともに記憶されているのでこれらを表示部７に棒グラフ化して表示するものである。被験者の体組成の測定が終了し、図７の表示処理フローチャートに従い表示部７に測定結果を表示しているか、図９乃至図１１で各種測定結果の数値を表示部７に表示しているときに、図２のグラフキー２１をオンすると図８のステップＳ１５４でＹｅｓと判定され、ステップＳ１５５でグラフカウンタを「０」から「１」にし、ステップＳ１６０からステップＳ１６１の表示項目別・部位別日グラフ表示処理に進み、図１２のステップＳ１０００に進む。
【００７３】
ステップＳ１０００では図８でセットされた項目カウンタが「０」であるか否かを判定し、「０」であれば体重の表示をするということでステップＳ１００１に進む。ステップＳ１０００で「０」でなければ、Ｎｏと判定され、図１３のステップＳ１１００へ進む。
【００７４】
ステップＳ１００１では、図８でセットされた部位カウンタが「０」であるか否かを判定し、部位が全身、すなわち「０」であればステップＳ１００２に進み、電源オフまでの表示時間を設定する２０秒タイマーをセットするとともに、ステップＳ１００３において、ステップＳ１００４で全身の体重値の日単位のグラフを表示する２秒タイマーをセットする。ステップＳ１００４では、図６のステップＳ１０５乃至ステップＳ１０７で測定され記憶手段３９に記憶されている全身の体重値を測定日の体重値から過去、例えば３０日前までの１か月分の体重値を日単位にグラフ化して図２４に示すように表示部７に表示する。
【００７５】
この表示では、全身の体重であることを示す文字と測定日と体重値とを表示するとともに、日単位の体重値の棒グラフとどの棒グラフが測定日のものであるかを棒グラフの下に★マークで示すように表示する。この★マークは図２のダウンキー１５またはアップキー１６をオンすることで、左方向または右方向に移動させることができ、測定日を変更することができる。この測定日の変更をすると、測定日と体重値の数値値は変更した測定日とその日の体重値になる。測定日の測定値がないときには、体重値の表示に変わり「データなし」という表示が出る。このダウンキー１５及びアップキー１６による測定日の変更は以下のグラフ表示では共通の操作及び表示になるので個々の説明を省略する。
【００７６】
そしてステップＳ１００５で２秒タイマーが終了したかを判定し、終了していなければステップＳ１００４に戻り全身の体重値のグラフ表示を継続し、タイマーが終了すると、ステップＳ１００６に進み、再び２秒タイマーをセットする。ステップＳ１００７では、図２５で示すように全身の体重を示す文字と全身の体重値と、体格指数であるＢＭＩの数値、ＢＭＩに基づく肥満度判定、例えば軽肥満と、測定日の体重値から過去、例えば３０日前までの１か月分の体重値を日単位にグラフ及び測定日を示す★マークとを表示する。この場合も同様にダウンキー１５またはアップキー１６をオンすることで、★マークを左または右方向に移動させることができ、測定日を変更することができる。この測定日の変更をすると、測定日と体重値およびＢＭＩの数値値と肥満判定は変更した測定日のものになる。
【００７７】
そしてステップＳ１００８でこの表示の継続を判定するタイマーの終了を判定し、ステップＳ１００９に進む。このステップＳ１００９では、ステップＳ１００２でセットしたタイマーの終了を判定するものであり、終了していないとステップＳ１００３に戻り、前述の２つの表示を繰り返す。この２つの表示を５回繰り返すと２０秒に達するので、ステップＳ２０９ではタイマーが終了したと判定され、電源がオフされる。
【００７８】
また、ステップＳ１００１で部位カウンタが「０」でなく「１」の場合には、ステップＳ１０１０でＹｅｓと判定され、ステップＳ１０１１で２０秒タイマーをセットする。ステップＳ１０１２では、記憶手段３９に記憶されている右腕の体重値を呼び出して、その重量の日単位のグラフを全身の体重の場合と同様に表示する。そしてステップＳ１０１３でタイマーの終了を待って電源をオフする。この右腕体重値は、現在のところやせ、標準、肥満等の判定基準がないので、測定に基づく値のみの表示としているが、判定基準ができたときにはステップＳ１００３からステップＳ１００８における全身体重値のグラフ表示と同様に右腕の体重値のグラフと判定との２つの表示を交互に行うことができる。
【００７９】
さらにステップＳ１０１０でＮｏの場合、部位カウンタは２乃至５になるが、図１２では部位カウンタが「５」のときのみ部位カウンタの判定がないが、その他の処理は同様であるので図１２での記載もステップの番号として部位カウンタの数字をステップ番号の十の位に割り当てて記載するとともに、部位カウンタが「２」と「３」の場合のフローチャートを省略するとともに、これらの説明も省略する。
【００８０】
図１２のステップＳ１０００でＮｏと判定されると、図１３のステップ１１０００に処理が移る。ステップＳ１１００では図８でセットされた項目カウンタが「１」であるか否かを判定し、「１」であれば体脂肪率の表示をするということでステップＳ１１０１に進む。ステップＳ１１００で「１」でなければ、Ｎｏと判定され、図１４のステップＳ１２００へ進む。
【００８１】
ステップＳ１１０１では、図８でセットされた部位カウンタが「０」であるか否かを判定し、部位が全身、すなわち「０」であればステップＳ１１０２に進み、電源オフまでの表示時間を設定する２０秒タイマーをセットするとともに、ステップＳ１１０３において、ステップＳ１１０４で全身の脂肪率グラフを表示する２秒タイマーをセットする。ステップＳ１１０４では、全身の体重のグラフの場合と同様に、記憶手段３９に記憶されている全身の体脂肪率を日単位のグラフとして図２６に示すように表示部７に表示する。
【００８２】
そしてステップＳ１１０５で２秒タイマーが終了したかを判定し、終了していなければステップＳ１１０４に戻り全身の体脂肪率の日グラフ表示を継続し、タイマーが終了すると、ステップＳ１１０６に進み、再び２秒タイマーをセットする。ステップＳ１１０７では、図２７で示すように全身の脂肪率を示す文字と全身の脂肪率と、この脂肪率による肥満判定、例えば軽肥満という判定と、全身の体脂肪率の日単位のグラフとを表示する。そしてステップＳ１１０８でこの表示の継続を判定するタイマーの終了を判定し、ステップＳ１１０９に進む。このステップＳ１１０９では、ステップＳ１１０２でセットしたタイマーの終了を判定するものであり、終了していないとステップＳ１１０３に戻り、前述の２つの表示を繰り返す。この２つの表示を５回繰り返すと２０秒に達するので、ステップＳ１１０９ではタイマーが終了したと判定され、電源がオフされる。
【００８３】
また、ステップＳ１１０１で部位カウンタが「０」でなく「１」の場合には、ステップＳ１１１０でＹｅｓと判定され、ステップＳ１１１１で２０秒タイマーをセットする。ステップＳ１１１２では、ステップＳ１１１３で表示する右腕の体脂肪率の日単位のグラフを表示する２秒タイマーをセットし、ステップＳ１１１３において、記憶手段３９に記憶されている右腕の体脂肪率を全身の脂肪率の日グラフ表示と同様に呼び出して、日単位のグラフを表示する。そしてステップＳ１１１４でタイマーの終了を待ってステップＳ１１１５に進み、ステップＳ１１１６の表示をする２秒タイマーをセットする。ステップＳ１１１６では記憶手段３９に記憶されている右腕の体脂肪率とその判定とを日単位の棒グラフを表示し、ステップＳ１１１７でタイマーの終了を待ってステップＳ１１１８に進む。このステップＳ１１１８では、ステップＳ１１１１でセットしたタイマーの終了を判定するものであり、終了していないとステップＳ１１１２に戻り、前述の２つの表示を繰り返す。この２つの表示を５回繰り返すと２０秒に達するので、ステップＳ１１１８ではタイマーが終了したと判定され、電源がオフされる。
【００８４】
さらにステップＳ１１１０でＮｏの場合、部位カウンタは２乃至５になるが、その処理は表示項目が変わるだけでその他の点は同様であるので図１３での記載もステップの番号として部位カウンタの数字をステップ番号の十の位に割り当てて記載するとともに、一部のフローチャートやこれらの説明も省略する。
【００８５】
さらに、図１３のステップＳ１１００で項目カウンタが「１」でないときには、Ｎｏと判定され、図１４のステップＳ１２００に進む。このステップＳ１２００で項目カウンタが「２」の場合には、図８で筋肉量の表示が選択されているのでステップＳ１２０１以降の処理に進むが、この処理は図１１で示した体脂肪率日グラフ表示処理の場合と表示項目内容が体脂肪率に変わり筋肉量に変わっただけなので、フローチャート及びその説明を省略する。
【００８６】
さらに、ステップＳ１２００で項目カウンタが「３」と判定されると、ステップＳ１３０１に進むが、この場合も表示項目が骨量であり、ステップＳ１４００で項目カウンタが「４」と判定されると、ステップＳ１４０１に進むが、この場合も表示項目が体水分量であり、ステップＳ１５００で項目カウンタが「５」と判定されると、ステップＳ１５０１に進むが、この場合も表示項目が基礎代謝量であり、ステップＳ１５００で項目カウンタが「６」と判定されると、ステップＳ１６００に進むが、この場合も表示項目が内臓脂肪面積であり、その表示処理は図１０の場合と表示項目がそれぞれ変わるだけなのでフローチャート及びその説明を省略する。
【００８７】
この図１２乃至図１４までの表示項目別・部位別日グラフ表示処理においては、一つの表示をしているときに所望の表示項目や所望の部位を表示させるときは、図２の表示項目キー群１９や部位別キー群２０の表示させるキーをオンすると、図８の表示キー割り込み処理がなされ、その処理で図１２乃至図１４の処理がなされて所望の表示が行われる。すなわち被験者は操作手順に束縛されることなく、所望のキーをオンすれば、所望の表示が簡単にできる。
【００８８】
この表示項目別・部位別日グラフ表示処理中にグラフキー２１がオンされると、図８のステップＳ１５４でＹｅｓと判定され、グラフカウンタがインクリメントされ、ステップＳ１６３の表示項目別・部位別週グラフ表示処理に進む。この週グラフ表示においては、図１２乃至図１４の日グラフ表示のデータが日から週に変わっただけであるので、フローチャート及びその説明は省略する。
【００８９】
さらにこの表示項目別・部位別週グラフ表示処理中にグラフキー２１がオンされると、図８のステップＳ１５４でＹｅｓと判定され、グラフカウンタがインクリメントされ、ステップＳ１６４の表示項目別・部位別月グラフ表示処理に進む。この月グラフ表示においては、図１２乃至図１４の日グラフ表示のデータが日から月に変わっただけであるので、フローチャート及びその説明は省略する。
【００９０】
なお、週のデータは、日のデータを一週間分集計し、測定データのない日の分を除いて平均化してものであり、５２週分、すなわち１年分を表示することが可能である。また、月のデータは、日のデータを１ヶ月分集計し、測定データのない日の分を除いて平均化してものであり、３６ヶ月分、すなわち３年分を表示することが可能である。
【００９１】
前記の表示項目別・部位別数値表示処理、表示項目別・部位別日グラフ表示処理、表示項目別・部位別週グラフ表示処理、表示項目別・部位別月グラフ表示処理のいずれの状態でも、図２の表示選択キー群１８のいずれかのキーがオンされると既に説明したようにマイクロコンピュータに割り込みがかかり、図８の割り込み処理が行われて、オンしたキーに該当する表示がなされるので被験者は簡単に所望の表示ができる。
【００９２】
なお、表示を継続するためのタイマーの時間や、表示部７に表示するデータの量等は、必要に応じて適宜変更が可能である。
【００９３】
また、上記実施例では日々のデータに基づいて数値表示やグラフ表示を行っているが、これに限らず測定時間帯、例えば９時台とか２０時台のように時間毎、午前とか午後毎、朝昼晩毎のように一日の特定の時間帯のデータを記憶手段に記憶しておき、これに時間帯に合致するデータのみを記憶手段から呼び出して表示することも可能である。
【００９４】
さらに、表示部７での表示項目や表示形態も必要に応じて適宜変更可能である。
【図面の簡単な説明】
【００９５】
【図１】本発明を適用した体組成計１の斜視図である。
【図２】図１の操作部６および表示部７の詳細図である。
【図３】図１の体組成計１の電気ブロック図である。
【図４】カレンダー設定のフローチャートである。
【図５】被験者の個人データを登録するフローチャートである。
【図６】体組成計での測定のフローチャートである。
【図７】表示処理のフローチャートである。
【図８】表示キーの割り込み処理を示すフローチャートである。
【図９】〜
【図１１】表示項目別・部位別数値表示処理のフローチャートである。
【図１２】〜
【図１４】表示項目別・部位別日グラフ表示処理のフローチャートである。
【図１５】〜
【図２７】表示部への表示を示す図である。
【符号の説明】
【００９６】
１  体組成計
２  重量検出手段
３  載台部
３ａ、３ｂ  係合部
４ａ、４ｂ、５ａ、５ｂ、１１ａ、１１ｂ、１３ａ、１３ｂ  電極
６  操作部
７  表示部
８ａ、８ｂ、８ｃ、８ｄ  個人キー
９  体重／ＯＦＦキー
１４  ＳＥＴキー
１５  ダウンキー
１６  アップキー
１７  操作キー群
１８  表示選択キー群
１９  表示項目キー群
２０  部位別キー群
２１  グラフキー
【図１】
2005237473.tif 000003
【図２】
2005237473.tif 000004
【図３】
2005237473.tif 000005
【図４】
2005237473.tif 000006
【図５】
2005237473.tif 000007
【図６】
2005237473.tif 000008
【図７】
2005237473.tif 000009
【図８】
2005237473.tif 000010
【図９】
2005237473.tif 000011
【図１０】
2005237473.tif 000012
【図１１】
2005237473.tif 000013
【図１２】
2005237473.tif 000014
【図１３】
2005237473.tif 000015
【図１４】
2005237473.tif 000016
【図１５】
2005237473.tif 000017
【図１６】
2005237473.tif 000018
【図１７】
2005237473.tif 000019
【図１８】
2005237473.tif 000020
【図１９】
2005237473.tif 000021
【図２０】
2005237473.tif 000022
【図２１】
2005237473.tif 000023
【図２２】
2005237473.tif 000024
【図２３】
2005237473.tif 000025
【図２４】
2005237473.tif 000026
【図２５】
2005237473.tif 000027
【図２６】
2005237473.tif 000028
【図２７】
2005237473.tif 000029